(57)【要約】【課題】精算機の取り扱いに慣れたユーザであっても精算機の取り扱いに不慣れなユーザであっても、紙幣を精算機に快適に投入することができ、かつ紙幣を精算機から快適に取り出すことができるようにする。【解決手段】案内部材１１０は、開口１０２の内側に設けられている。第１空間１１２及び第２空間１１４は、案内部材１１０を挟んで互いに反対側に位置している。シャッタ１６０は、開口１０２を閉じるために設けられている。案内部材１１０には、紙幣を置くことが可能である。シャッタ１６０は、第１モードにおいて、第１空間１１２が開口１０２を介して外部領域に通じ、第２空間１１４がシャッタ１６０によって外部領域から遮断されるように開く。シャッタ１６０は、第２モードにおいて、第１空間１１２及び第２空間１１４の双方が開口１０２を介して外部領域に通じるように開く。【選択図】図１
2018081480.tif 000002
【特許請求の範囲】
【請求項１】
開口と、
前記開口の内側に設けられた案内部材と、
前記案内部材により隔てられた第１空間及び第２空間と、
前記開口を閉じるためのシャッタと、
を備え、
前記案内部材には、前記開口に投入された紙幣を置くことが可能であり、
第１モードにおいて、前記第１空間が前記開口を介して外部領域に通じ、前記第２空間が前記シャッタによって外部領域から遮断され、
第２モードにおいて、前記第１空間及び前記第２空間の双方が前記開口を介して外部領域に通じる精算機。
【請求項２】
請求項１に記載の精算機において、
前記案内部材は、紙幣の投入方向において前記開口内手前に位置する第１辺に切欠きを有する精算機。
【請求項３】
請求項１又は２に記載の精算機において、
前記第２空間内に位置しており、前記案内部材を移動させる機構を備える精算機。
【請求項４】
請求項１〜３のいずれか一項に記載の精算機において、
前記精算機が前記第１モード及び前記第２モードのいずれにあるかを示す信号を前記精算機の外部に出力する出力部を備える精算機。
【請求項５】
請求項４に記載の精算機において、
前記精算機を前記第１モード及び前記第２モードの一方から他方に切り替えるための信号を前記精算機の外部から入力するための入力部を備える精算機。
【発明の詳細な説明】
【技術分野】
【０００１】
本発明は、精算機に関する。
【背景技術】
【０００２】
紙幣を自動的に受け付け、又は自動的に払い出すために様々な装置が開発されている。このような装置の例には、現金自動預け払い機及び精算機が含まれる。
【０００３】
特許文献１には、現金自動預け払い機の一例について記載されている。この現金自動預け払い機は、開口及びシャッタを備えている。ユーザがこの開口に紙幣を投入する場合、シャッタは、開口の一部を露出するように開く。ユーザは、大量の紙幣を開口に投入する場合、所定の操作を現金自動預け払い機に対して行う。これにより、シャッタは、開口のほぼ全体を露出するように開く。
【０００４】
特許文献２にも、現金自動預け払い機の一例について記載されている。この現金自動預け払い機は、開口及びシャッタを備えている。シャッタは、切り欠きを有している。紙幣を払い出す場合、シャッタは、切り欠きが開口と重なるように移動する。これにより、切り欠きから開口の中の紙幣が見える。ユーザが開口の近傍に指を伸ばすと、センサが指を検知する。この検知結果に基づいて、シャッタは、開口の全体を露出するように開く。
【０００５】
特許文献３には、精算機の一例について記載されている。この精算機は、開口、搬送路及び収納庫を備えている。開口には、紙幣を投入可能である。搬送路は、開口に投入された紙幣を収納庫に搬送可能である。収納庫は、開口に投入された紙幣を収納可能である。
【先行技術文献】
【特許文献】
【０００６】
【特許文献１】特開２０１６−１８４１２号公報
【特許文献２】特開２０１０−２６６４６号公報
【特許文献３】特開２０１３−１８６５７７号公報
【発明の概要】
【発明が解決しようとする課題】
【０００７】
精算機は、様々なユーザに用いられ、例えば小売店では、店の店員及び店の顧客の双方に用いられることがある。精算機の取り扱いに不慣れなユーザ（例えば、店の顧客）は、紙幣を精算機に投入する際又は紙幣を精算機から取り出す際、誤った操作を精算機に対して行うことがあり、この場合、精算機が故障するおそれがある。このため、このようなユーザにとっては、誤った操作が発生しないようにすることが好ましい。これに対して、精算機の取り扱いに慣れたユーザ（例えば、店の店員）は、誤った操作を精算機に対して行う可能性はほぼない。一方でこのようなユーザは、例えばお釣りの紙幣を精算機に補充するため、大量の紙幣を精算機に一度に投入すること、又は例えば精算機に収納された紙幣を取り出すため、大量の紙幣を精算機から一度に取り出すことがある。このようなユーザにとっては、大量の紙幣を一度に取り扱えるようにすることが好ましい。
【０００８】
本発明の目的は、精算機の取り扱いに慣れたユーザ及び精算機の取り扱いに不慣れなユーザの双方にとって紙幣の投入及び取り出しのしやすい精算機を提供することにある。
【課題を解決するための手段】
【０００９】
本発明によれば、
開口と、
前記開口の内側に設けられた案内部材と、
前記案内部材により隔てられた第１空間及び第２空間と、
前記開口を閉じるためのシャッタと、
を備え、
前記案内部材には、前記開口に投入された紙幣を置くことが可能であり、
第１モードにおいて、前記第１空間が前記開口を介して外部領域に通じ、前記第２空間が前記シャッタによって外部領域から遮断され、
第２モードにおいて、前記第１空間及び前記第２空間の双方が前記開口を介して外部領域に通じる精算機が提供される。
【発明の効果】
【００１０】
本発明によれば、精算機の取り扱いに慣れたユーザであっても精算機の取り扱いに不慣れなユーザであっても、紙幣を精算機に快適に投入することができ、かつ紙幣を精算機から快適に取り出すことができる。
【図面の簡単な説明】
【００１１】
【図１】第１の実施形態に係る精算機を示す図である。
【図２】図１に示した精算機の第１モードにおける動作の一例を説明するための図である。
【図３】図１に示した精算機の第２モードにおける動作の一例を説明するための図である。
【図４】図１に示した案内部材の一例の詳細を説明するための図である。
【図５】（ａ）は、図４に示した案内部材に紙幣を置く方法を説明するための図であり、（ｂ）は、図４に示した案内部材に紙幣を置く方法を説明するための図である。
【図６】図１に示した機構の動作の第１例を説明するための図である。
【図７】図１に示した機構の動作の第１例を説明するための図である。
【図８】図１に示した機構の動作の第２例を説明するための図である。
【図９】図１に示した機構の動作の第２例を説明するための図である。
【図１０】図１の変形例を示す図である。
【図１１】図１０に示した精算機の第１モードにおける動作の一例を説明するための図である。
【図１２】図１０に示した精算機の第２モードにおける動作の一例を説明するための図である。
【図１３】（ａ）は、開口の向きの第１例を説明するための図であり、（ｂ）は、開口の向きの第１例を説明するための図である。
【図１４】（ａ）は、開口の向きの第２例を説明するための図であり、（ｂ）は、開口の向きの第２例を説明するための図である。
【図１５】第２の実施形態に係る精算機を示す図である。
【図１６】図１５に示した出力部の第１例を説明するための図である。
【図１７】図１６に示した精算機の動作を説明するための図である。
【図１８】図１６に示した精算機の動作を説明するための図である。
【図１９】図１２に示した出力部の第２例を説明するための図である。
【図２０】第３の実施形態に係る精算機の第１モードにおける動作の一例を説明するための図である。
【図２１】第３の実施形態に係る精算機の第２モードにおける動作の一例を説明するための図である。
【図２２】第４の実施形態に係る精算機を示す図である。
【発明を実施するための形態】
【００１２】
以下、本発明の実施の形態について、図面を用いて説明する。尚、すべての図面において、同様な構成要素には同様の符号を付し、適宜説明を省略する。
【００１３】
（第１の実施形態）
図１は、第１の実施形態に係る精算機１０を示す図である。図２は、図１に示した精算機１０の第１モードにおける動作の一例を説明するための図である。精算機１０は、セミセルフＰｏｉｎｔ  ｏｆ  Ｓａｌｅｓ（ＰＯＳ）システム又はセルフＰＯＳシステムにおいて用いられる精算機である。第１モードは、例えば店の顧客が精算機１０で商品の精算処理を行う際のモードである。図３は、図１に示した精算機１０の第２モードにおける動作の一例を説明するための図である。第２モードは、例えば店の店員が精算機１０に紙幣を補充したり、精算機１０から紙幣を回収したりする際のモードである。なお、店員が精算機１０で商品の精算処理を行う際のモードを第２モードとしてもよい。
【００１４】
図１に示すように、精算機１０は、筐体１００、開口１０２、案内部材１１０、第１空間１１２、第２空間１１４、シャッタ１６０及び制御部２１０を備えている。開口１０２は、筐体１００の表面、特に図１に示す例では筐体１００の側面に形成されている。案内部材１１０は、開口１０２の内側に設けられている。第１空間１１２及び第２空間１１４は、案内部材１１０を挟んで互いに反対側に位置している。シャッタ１６０は、開口１０２を閉じるために設けられている。案内部材１１０には、開口１０２に投入（挿入）された紙幣を置くことが可能である。特に図１に示す例では、案内部材１１０は、ステージとして機能しており、紙幣を案内部材１１０上に載置可能である。制御部２１０は、シャッタ１６０の開閉を制御している。図２に示すように、シャッタ１６０は、第１モードにおいて、第１空間１１２が開口１０２を介して外部領域に通じ、第２空間１１４がシャッタ１６０によって外部領域から遮断されるように開く。図３に示すように、シャッタ１６０は、第２モードにおいて、第１空間１１２及び第２空間１１４の双方が開口１０２を介して外部領域に通じるように開く。
【００１５】
精算機の取り扱いに不慣れなユーザ（例えば、店の顧客）が精算機１０を用いる場合、精算機１０を第１モード（図２）で動作させることができる。この場合、第１空間１１２は外部領域に露出する一方で、第２空間１１４は外部領域に露出しない。このため、ユーザが紙幣を第２空間１１４に誤って投入することが防止される。仮に、紙幣を第２空間１１４に投入すると精算機１０の故障する可能性がある。上記構成によれば、このような故障を防ぐことができる。このようにして、精算機の取り扱いに不慣れなユーザ（例えば、店の顧客）であっても、紙幣を精算機１０の適切な箇所に投入することができる。
【００１６】
精算機の取り扱いに慣れたユーザ（例えば、店の店員）が精算機１０を用いる場合、精算機１０を第２モード（図３）で動作させることができる。この場合、第１空間１１２及び第２空間１１４の双方が外部領域に露出する。精算機の取り扱いに慣れたユーザが紙幣を第２空間１１４に誤って投入する可能性はほぼない。一方でこのようなユーザは、例えば精算機１０にお釣りの紙幣を補充するため、大量の紙幣を精算機１０に一度に投入することがある。このような場合、紙幣の束をつかむ指が紙幣の束の下側に潜る。そのため、第１空間１１２側だけでなく、第２空間１１４側にも指又は手を入れることができると利便性が高い。上述したように、第２モードでは、第１空間１１２及び第２空間１１４の双方が外部領域に露出する。このため、ユーザは、第１空間１１２側だけでなく、第２空間１１４側にも指又は手を入れることができる。このようにして、精算機の取り扱いに慣れたユーザ（例えば、店の店員）であっても、紙幣を精算機１０に容易に投入することができる。
【００１７】
精算機の取り扱いに不慣れなユーザ（例えば、店の顧客）が精算機１０を用いる場合、精算機１０を第１モード（図２）で動作させることができる。この場合、第１空間１１２は外部領域に露出する一方で、第２空間１１４は外部領域に露出しない。このため、ユーザが指又は手を第２空間１１４に誤って入れることが防止される。仮に、精算機の取り扱いに不慣れなユーザが第２空間１１４に指又は手を入れると精算機１０は故障する可能性がある。上記構成によれば、このような故障を防ぐことができる。このようにして、精算機の取り扱いに不慣れなユーザ（例えば、店の顧客）であっても、指や手を誤投入することなく紙幣を精算機１０から取り出すことができる。
【００１８】
精算機の取り扱いに慣れたユーザ（例えば、店の店員）が精算機１０を用いる場合、精算機１０を第２モード（図３）で動作させることができる。この場合、第１空間１１２及び第２空間１１４の双方が外部領域に露出する。精算機の取り扱いに慣れたユーザが指又は手を第２空間１１４に入れても、精算機１０が故障する可能性はほぼない。一方でこのようなユーザは、例えば精算機１０に収納された紙幣を外部に取り出すため、多くの枚数の紙幣を一度に案内部材１１０上から取り出すことがある。このような場合、紙幣の束をつかむ指が紙幣の束の下側に潜る。そのため、第１空間１１２側だけでなく、第２空間１１４側にも指又は手を入れることができると利便性が高い。上述したように、上記構成によれば、第１空間１１２及び第２空間１１４の双方が外部領域に露出する。このため、第１空間１１２側だけでなく、第２空間１１４側にも指又は手を入れることができる。このようにして、精算機の取り扱いに慣れたユーザ（例えば、店の店員）であっても、紙幣を精算機１０から容易に取り出すことができる。
【００１９】
図１に示す例では、シャッタ１６０は、第１シャッタ１６２及び第２シャッタ１６４を有している。制御部２１０は、第１シャッタ１６２の開閉及び第２シャッタ１６４の開閉を互いに独立に制御可能である。図２に示すように、第１モードにおいて、制御部２１０は、第１シャッタ１６２を上方に向けて移動させるのに対して第２シャッタ１６４を移動させない。このため、第１モードでは、シャッタ１６０は、第１空間１１２が開口１０２を介して外部領域に通じ、第２空間１１４がシャッタ１６０によって外部領域から遮断されるように開く。図３に示すように、第２モードにおいて、制御部２１０は、第１シャッタ１６２を上方に向けて移動させ、第２シャッタ１６４を下方に向けて移動させる。このため、第２モードでは、シャッタ１６０は、第１空間１１２及び第２空間１１４の双方が開口１０２を介して外部領域に通じるように開く。
【００２０】
精算機１０は、機構１７０を備えている。機構１７０は、第２空間１１４内に位置している。機構１７０は、案内部材１１０を移動させるために設けられており、特に図１に示す例では、案内部材１１０を上下方向に移動させるために設けられている。
【００２１】
図４は、図１に示した案内部材１１０の一例の詳細を説明するための図である。案内部材１１０は、紙幣の投入方向において開口１０２内手前に位置する第１辺ＥＧ１を有している。第１辺ＥＧ１は、第１領域ＲＧ１、第２領域ＲＧ２及び第３領域ＲＧ３を含んでいる。第３領域ＲＧ３は、第１領域ＲＧ１と第２領域ＲＧ２の間にある。第３領域ＲＧ３は、第１領域ＲＧ１及び第２領域ＲＧ２よりも精算機１０の内側に位置している。言い換えると、案内部材１１０の第１辺ＥＧ１は、第３領域ＲＧ３の近傍において切り欠きを有している。なお、図４に示した例では、紙幣の投入方向を定義しているが、投入方向とは逆方向の、紙幣の払い出し方向を定義することもできる。
【００２２】
図５（ａ）及び図５（ｂ）は、図４に示した案内部材１１０に紙幣を載置する方法を説明するための図である。図５（ｂ）は、図５（ａ）のＡ−Ａ´断面図である。図５に示す例では、複数の紙幣Ｂが案内部材１１０に載置されている。
【００２３】
図４及び図５に示した構成によれば、精算機１０を第２モード（図３）で動作させた場合、大量の紙幣Ｂを案内部材１１０に一度に載置することが容易となる。具体的には、精算機１０が第２モードで動作する場合、第１空間１１２及び第２空間１１４の双方が外部領域に露出する（図３）。このため、ユーザは、第１空間１１２側だけでなく第２空間１１４側にも指又は手を入れつつ複数の紙幣Ｂを投入することができる。上述したように、案内部材１１０の第１辺ＥＧ１では、第３領域ＲＧ３は、第１領域ＲＧ１及び第２領域ＲＧ２よりも精算機１０の内側に位置している。このため、ユーザは、第３領域ＲＧ３の近傍では、紙幣Ｂの下方に指又は手を潜らせることができる。このため、大量の紙幣Ｂを案内部材１１０に一度に載置することが容易となる。
【００２４】
図６及び図７は、図１に示した機構１７０の動作の第１例を説明するための図である。図６及び図７に示す例では、以下のようにして、複数の紙幣Ｂが精算機１０に投入される。
【００２５】
まず、シャッタ１６０が開いている状態で、複数の紙幣Ｂを案内部材１１０に載置する。上述したように、精算機１０が第１モード（図２）で動作しているときは、シャッタ１６０の第１シャッタ１６２及び第２シャッタ１６４のうち第１シャッタ１６２のみが開いており、精算機１０が第２モード（図３）で動作しているときは、シャッタ１６０の第１シャッタ１６２及び第２シャッタ１６４の双方が開く。
【００２６】
次いで、図６に示すように、シャッタ１６０が閉じる。
【００２７】
次いで、図７に示すように、機構１７０によって案内部材１１０が上昇する。これにより、複数の紙幣Ｂも、案内部材１１０と一緒になって上昇する。複数の紙幣Ｂの上方には、搬送ローラ（不図示）が設けられており、搬送ローラによって複数の紙幣Ｂのそれぞれは、搬送路１２０に送られる。
【００２８】
このようにして、複数の紙幣Ｂは、精算機１０に投入される。
【００２９】
図８及び図９は、図１に示した機構１７０の動作の第２例を説明するための図である。図８及び図９に示す例では、以下のようにして、複数の紙幣Ｂが精算機１０から払い出される。
【００３０】
まず、図８に示すように、複数の紙幣Ｂが搬送路１２０を介して案内部材１１０に送られる。
【００３１】
次いで、図９に示すように、機構１７０によって案内部材１１０が下降する。これにより、複数の紙幣Ｂを、案内部材１１０と一緒になって下降する。
【００３２】
次いで、シャッタ１６０が開く。これにより、ユーザは、開口１０２から複数の紙幣Ｂを取り出すことができる。上述したように、精算機１０が第１モード（図２）で動作しているときは、シャッタ１６０の第１シャッタ１６２及び第２シャッタ１６４のうち第１シャッタ１６２のみが開いており、精算機１０が第２モード（図３）で動作しているときは、シャッタ１６０の第１シャッタ１６２及び第２シャッタ１６４の双方が開く。
【００３３】
このようにして、複数の紙幣Ｂが、精算機１０から払い出される。
【００３４】
図１０は、図１の変形例を示す図である。図１１は、図１０に示した精算機１０の第１モードにおける動作の一例を説明するための図である。図１２は、図１０に示した精算機１０の第２モードにおける動作の一例を説明するための図である。
【００３５】
図１０に示すように、シャッタ１６０は、単一の部材からなっている。シャッタ１６０は、上下方向に移動可能になっている。図１１に示すように、第１モードにおいて、シャッタ１６０は、下方に移動して、第１空間１１２が開口１０２を介して外部領域に通じ、第２空間１１４がシャッタ１６０によって外部領域から遮断されるように開く。図１２に示すように、第２モードにおいて、シャッタ１６０は、さらに下方に移動して、第１空間１１２及び第２空間１１４の双方が開口１０２を介して外部領域に通じるように開く。
【００３６】
図１０〜図１２に示した構成によれば、図１〜図３に示した構成と同様にして、精算機の取り扱いに慣れたユーザであっても精算機の取り扱いに不慣れなユーザであっても、紙幣を精算機１０に快適に投入することができ、かつ紙幣を精算機１０から快適に取り出すことができる。
【００３７】
図１３（ａ）及び図１３（ｂ）は、開口１０２の向きの第１例を説明するための図である。図１３（ａ）において、精算機１０は、第１モードにおいて動作しており、第１空間１１２は、外部領域に露出されている。図１３（ｂ）において、精算機１０は、第２モードにおいて動作しており、第１空間１１２及び第２空間１１４の双方が外部領域に露出されている。
【００３８】
図１３（ａ）及び図１３（ｂ）では、案内部材１１０、第１空間１１２及び第２空間１１４は、縦方向に並んでいる。このため、紙幣を案内部材１１０に横向きに載置することができる。案内部材１１０は、機構１７０によって縦方向に移動可能になっている。紙幣は、紙幣の長辺が開口１０２の深さ方向に沿うように案内部材１１０に載置されてもよいし、又は紙幣の短辺が開口１０２の深さ方向に沿うように案内部材１１０に載置されてもよい。
【００３９】
図１４（ａ）及び図１４（ｂ）は、開口１０２の向きの第２例を説明するための図である。図１４（ａ）において、精算機１０は、第１モードにおいて動作しており、第１空間１１２は、外部領域に露出されている。図１４（ｂ）において、精算機１０は、第２モードにおいて動作しており、第１空間１１２及び第２空間１１４の双方が外部領域に露出されている。
【００４０】
図１４（ａ）及び図１４（ｂ）では、案内部材１１０、第１空間１１２及び第２空間１１４は、横方向に並んでいる。このため、紙幣を案内部材１１０に縦向きに置くことができる。案内部材１１０は、機構１７０によって横方向に移動可能になっている。紙幣は、紙幣の長辺が開口１０２の深さ方向に沿うように案内部材１１０に置かれてもよいし、又は紙幣の短辺が開口１０２の深さ方向に沿うように案内部材１１０に置かれてもよい。
【００４１】
以上、本実施形態によれば、精算機の取り扱いに慣れたユーザであっても精算機の取り扱いに不慣れなユーザであっても、紙幣を精算機１０に快適に投入することができ、かつ紙幣を精算機１０から快適に取り出すことができる。
【００４２】
（第２の実施形態）
図１５は、第２の実施形態に係る精算機１０を示す図であり、第１の実施形態の図１に対応する。本実施形態に係る精算機１０は、以下の点を除いて、第２の実施形態に係る精算機１０と同様である。
【００４３】
精算機１０は、出力部２２０を備えている。出力部２２０は、精算機１０が第１モード（例えば、図１）及び第２モード（例えば、図２）のいずれにあるかを示す信号を精算機１０の外部に出力する。出力部２２０から出力される信号は、例えば、光、音又は振動である。
【００４４】
上記構成によれば、精算機１０のユーザは、出力部２２０から出力される信号に基づいて、精算機１０が第１モード及び第２モードのいずれにあるかを判断することができる。
【００４５】
精算機１０は、入力部２３０を備えている。入力部２３０は、精算機１０第１モード（例えば、図１）及び第２モード（例えば、図２）の一方から他方に切り替えるための信号を精算機１０の外部から入力するために用いられる。一例において、入力部２３０は、スイッチボタン又はタッチスクリーンである。
【００４６】
上記構成によれば、精算機１０のユーザは、入力部２３０を用いて精算機１０のモードを切り替えることができる。第１例において、精算機の取り扱いに不慣れなユーザ（例えば、店の顧客）が精算機１０を使用することが予定されているにもかかわらず精算機１０が第２モード（例えば、図２）にあるとき、精算機１０の別のユーザ（例えば、店の店員）は、出力部２２０から出力される信号に基づいて精算機１０のモードを判断し、入力部２３０を用いて精算機１０を第１モード（例えば、図１）に切り替えることができる。第２例において、精算機の取り扱いに慣れたユーザ（例えば、店の店員）が精算機１０を使用することが予定されているにもかかわらず精算機１０が第１モード（例えば、図１）にあるときは、精算機１０のこのユーザは、出力部２２０から出力される信号に基づいて精算機１０のモードを判断し、入力部２３０を用いて精算機１０を第２モード（例えば、図２）に切り替えることができる。
【００４７】
図１６は、図１５に示した出力部２２０の第１例を説明するための図である。出力部２２０は、発光部２２２及び発光部２２４を有している。発光部２２２及び発光部２２４は、互いに異なる位置に設けられている。発光部２２２及び発光部２２４のそれぞれは、一例において、ＬＥＤ（Ｌｉｇｈｔ−Ｅｍｉｔｔｉｎｇ  Ｄｉｏｄｅ）である。
【００４８】
図１７及び図１８は、図１６に示した精算機１０の動作を説明するための図である。精算機１０のユーザは、発光部２２２及び発光部２２４のいずれが光を発しているかに基づいて、精算機１０のモードを判断することができる。
【００４９】
図１７に示すように、第１モードでは、発光部２２２は光を発し、発光部２２４は光を発しない。このため、精算機１０のユーザは、精算機１０が第１モードにあることを判断することができる。
【００５０】
図１８に示すように、第２モードでは、発光部２２４は光を発し、発光部２２２は光を発しない。このため、精算機１０のユーザは、精算機１０が第２モードにあることを判断することができる。
【００５１】
図１９は、図１２に示した出力部２２０の第２例を説明するための図である。出力部２２０は、発光部２２６を有している。発光部２２６は、一例において、ＬＥＤ（Ｌｉｇｈｔ−Ｅｍｉｔｔｉｎｇ  Ｄｉｏｄｅ）である。
【００５２】
第１例において、精算機１０のユーザは、発光部２２６が発する光の強度に基づいて、精算機１０のモードを判断することができる。一例において、精算機１０のユーザは、発光部２２６が第１の強度の光を発している場合、精算機１０が第１モードにあることを判断することができ、発光部２２６が第１の強度よりも弱い第２の強度の光を発し、又は光を発していない場合、精算機１０が第２モードにあることを判断することができる。
【００５３】
第２例において、精算機１０のユーザは、発光部２２６が発する光の色に基づいて、精算機１０のモードを判断することができる。一例において、精算機１０のユーザは、発光部２２６が発する色が第１の色である場合、精算機１０が第１モードにあることを判断することができ、発光部２２６が発する色が第２の色である場合、精算機１０が第２モードにあることを判断することができる。
【００５４】
（第３の実施形態）
図２０は、第３の実施形態に係る精算機１０の第１モードにおける動作の一例を説明するための図である。図２１は、第３の実施形態に係る精算機１０の第２モードにおける動作の一例を説明するための図である。本実施形態に係る精算機１０は、以下の点を除いて、図１０〜図１２に示した精算機１０と同様である。
【００５５】
図２０及び図２１に示すように、案内部材１１０の位置（高さ）は、モードに応じて異なっている。具体的には、第１モード（図２０）における案内部材１１０の位置（高さ）は、第２モード（図２１）における案内部材１１０の位置（高さ）よりも高くなっている。これにより、第１モード（図２０）における第１空間１１２の大きさは、第２モード（図２１）における第１空間１１２の大きさよりも小さくなっている。
【００５６】
上記構成によれば、第１空間１１２の大きさを精算機１０のユーザに応じて適当な大きさに調整することが可能となる。一例において、あまり多くの紙幣を投入しない（例えば、２〜３枚の紙幣しか投入しない）ことが予想されるユーザ（例えば、店の顧客）が精算機１０を用いる場合は精算機１０を第１モード（図２０）で動作させることができ、多くの紙幣を投入する（例えば、１０枚〜３０枚の紙幣を投入する）ことが予想されるユーザ（例えば、店の店員）が精算機１０を用いる場合は精算機１０を第２モード（図２１）で動作させることができる。この例においては、第１モード（図２０）では第１空間１１２の大きさが紙幣の投入に必要なスペースよりも過剰に大きくなることが防止される。このため、店の顧客は、例えば紙幣を投入する際には精算機１０の適切な箇所に紙幣を投入することができ、紙幣を取り出す際には指や手を誤投入することなく紙幣を精算機１０から取り出すことができる。また、第２モード（図２１）では第１空間１１２の大きさを紙幣の投入に十分な大きさにすることができる。このため、店の店員は、例えば多くの紙幣を精算機１０に容易に投入することができ、多くの紙幣を精算機１０から容易に取り出すことができる。
【００５７】
（第４の実施形態）
図２２は、第４の実施形態に係る精算機１０を示す図である。精算機１０は、筐体１００、開口１０２、案内部材１１０、搬送路１２０、複数の収納庫１３０、識別部１４２、識別部１４４、排出口１５０、シャッタ１６０及び機構１７０を備えている。本実施形態に係る開口１０２、案内部材１１０、シャッタ１６０及び機構１７０は、第１の実施形態〜第３の実施形態のいずれかに係る開口１０２、案内部材１１０、シャッタ１６０及び機構１７０とそれぞれ同様である。
【００５８】
搬送路１２０は、開口１０２に投入された紙幣を収納庫１３０に搬送し、かつ収納庫１３０に収納された紙幣を開口１０２に搬送する。一例において、搬送路１２０は、搬送ローラ（不図示）を用いて紙幣を搬送する。
【００５９】
複数の収納庫１３０は、互いに異なる種類の紙幣を収納可能である。具体的には、図２２に示す精算機１０は、日本国で使用されることが予定されており、３つの収納庫１３０、すなわち、１０００円札用の収納庫１３０、５０００円札用の収納庫１３０及び１００００円札用の収納庫１３０を備えている。３つの収納庫１３０は、開口１０２側から、１００００円札用の収納庫１３０、５０００円札用の収納庫１３０及び１０００円札用の収納庫１３０の順で並んでいる。１０００円札用の収納庫１３０の容積は、３つの収納庫１３０の容積の中で最大となっている。なお、収納庫１３０の数及びそれぞれの収納庫に収納される紙幣の種類はこれに限られない。
【００６０】
識別部１４２は、開口１０２に投入された紙幣を識別する。精算機１０は、識別部１４２の識別結果に基づいて、開口１０２に投入された紙幣の種類及び開口１０２に投入された紙幣の枚数を判断することができる。
【００６１】
識別部１４４は、複数の収納庫１３０から引き出された紙幣を識別する。精算機１０は、識別部１４４の識別結果に基づいて、複数の収納庫１３０から引き出された紙幣の種類及び複数の収納庫１３０から引き出された紙幣の枚数を判断することができる。なお、図２２に示す例では、識別部１４４は、搬送路１２０に沿って識別部１４２よりも奥にある。
【００６２】
排出口１５０は、不適当な紙幣（例えば、偽札又は著しく折れ曲がった紙幣）を排出するために用いられる。具体的には、開口１０２に不適当な紙幣が投入された場合、精算機１０は、識別部１４２の識別結果に基づいて、開口１０２に投入された紙幣が不適当な紙幣であると判断することができる。この場合、精算機１０は、収納庫１３０にこの紙幣を搬送することなく、排出口１５０からこの紙幣を排出する。
【００６３】
第１乃至第４の実施形態では、第１モードは、例えば店の顧客が精算機１０で商品の精算処理を行う際のモードであり、第２モードは、例えば店の店員が精算機１０に紙幣を補充したり、精算機１０から紙幣を回収したりする際のモードである形態について説明した。しかし、動作モードの設定や数はこれに限られない。
【００６４】
以上、図面を参照して本発明の実施形態について述べたが、これらは本発明の例示であり、上記以外の様々な構成を採用することもできる。
【符号の説明】
【００６５】
１０  精算機
１００  筐体
１０２  開口
１１０  案内部材
１１２  第１空間
１１４  第２空間
１２０  搬送路
１３０  収納庫
１４２  識別部
１４４  識別部
１５０  排出口
１６０  シャッタ
１６２  第１シャッタ
１６４  第２シャッタ
１７０  機構
２１０  制御部
２２０  出力部
２２２  発光部
２２４  発光部
２２６  発光部
２３０  入力部
ＥＧ１  第１辺
ＲＧ１  第１領域
ＲＧ２  第２領域
ＲＧ３  第３領域
【図１】
2018081480.tif 000003
【図２】
2018081480.tif 000004
【図３】
2018081480.tif 000005
【図４】
2018081480.tif 000006
【図５】
2018081480.tif 000007
【図６】
2018081480.tif 000008
【図７】
2018081480.tif 000009
【図８】
2018081480.tif 000010
【図９】
2018081480.tif 000011
【図１０】
2018081480.tif 000012
【図１１】
2018081480.tif 000013
【図１２】
2018081480.tif 000014
【図１３】
2018081480.tif 000015
【図１４】
2018081480.tif 000016
【図１５】
2018081480.tif 000017
【図１６】
2018081480.tif 000018
【図１７】
2018081480.tif 000019
【図１８】
2018081480.tif 000020
【図１９】
2018081480.tif 000021
【図２０】
2018081480.tif 000022
【図２１】
2018081480.tif 000023
【図２２】
2018081480.tif 000024